(57)【特許請求の範囲】
【請求項１】
回路基板が扁平な筐体の内部に収容されて成る無線通信機能付きのカード型装置において、
筐体の外側の筐体上部に配置されて電波の無線通信を行うためのアンテナ構造体を有し、
該アンテナ構造体は前記カード型装置の挿入相手側への挿入方向に直交する横幅方向に伸長形成された形状を有して該伸長形成部の両端部にはそれぞれ前記伸長形成方向と略直交する方向に張り出した取り付け部が形成されてコ字形状を呈しており、
アンテナ構造体の両端部の取り付け部のうち一方の取り付け部側には、アンテナ構造体が筐体の上面に対して起立している状態と倒れている収納状態との間の動作範囲でアンテナ構造体を回動変位させる回動シャフトが設けられ、該回動シャフトと他方の取り付け部側に設けられたシャフトを介してアンテナ構造体が前記筐体に回動自在に設けられており、
カード型装置の筐体は該カード型装置の挿入相手側の挿入口に挿入した状態で該挿入相手側の挿入口から外側に突き出す長さを有して、前記挿入相手側の挿入口にカード型装置の筐体を挿入したときに前記アンテナ構造体が前記挿入相手側の挿入口から外側に突き出される筐体の位置に配置される構成と成し、前記アンテナ構造体の基部側となる前記回動シャフトの回動支点位置から前記アンテナ構造体の先端位置までの長さが前記挿入相手側の前記挿入口から突き出される筐体の前記挿入相手側の挿入口から前記アンテナ構造体の前記回動支点位置までの長さ以下に形成されており、
回動シャフトに回転トルクを加えてアンテナ構造体を回動変位させるアンテナ駆動用モーターと、
無線通信開始信号を受けてアンテナ駆動用モーターにアンテナ構造体起立用の電流を通電させてアンテナ構造体を起立方向に回動変位させるアンテナ起立用回路部と、
アンテナ構造体が予め定められた設定の起立方向の回動最終位置まで回動変位したことを検知するアンテナ起立検知部と、
アンテナ起立検知部からの情報によりアンテナ構造体が設定の起立方向の回動最終位置まで回動変位したことを検知した以降にアンテナ駆動用モーターへの電流通電を停止させる起立完了モーター通電停止部と、
無線通信終了信号を受けて前記アンテナ構造体起立用の電流とは逆向きの電流をアンテナ駆動用モーターに通電させてアンテナ構造体を倒して収納する方向に回動変位させるアンテナ収納用回路部と、
アンテナ収納用回路部によるアンテナ駆動用モーターへの通電中に予め定められた収納完了条件が満たされたことを検知したときには、アンテナ駆動用モーターへの電流通電を停止させる収納完了モーター通電停止部と、
が設けられていることを特徴とするカード型装置。
【請求項２】
アンテナ起立用回路部の回路動作によりアンテナ構造体が予め定められた設定の起立方向の回動最終位置まで回動変位したときにアンテナ構造体の起立方向の回動変位を停止させるストッパーが設けられていることを特徴とする請求項１記載のカード型装置。
【請求項３】
アンテナ駆動用モーターからの回転トルクを増幅して回動シャフトに伝達する回転トルク増幅伝達部が設けられていることを特徴とする請求項１又は請求項２記載のカード型装置。
【発明の詳細な説明】
【技術分野】
【０００１】
本発明は、無線通信機能を備えたＰＣカードやＣＦカード等のカード型装置に関するものである。なお、ＣＦ（コンパクトフラッシュ）は登録商標である。
【背景技術】
【０００２】
図１１にはカード型装置の一形態例が模式的な斜視図により示されている。このカード型装置４０は無線通信機能を備えており、当該カード型装置４０は、回路基板４１と、回路基板４１を収容する扁平な筐体４２と、筐体４２の外側に配設され電波の無線通信を行うアンテナ構造体４３とを有して構成されている。アンテナ構造体４３の基端側にはアンテナ回転軸４４が形成され、筐体４２の側壁部には、アンテナ回転軸４４を筐体４２の外側から内側に挿入させるための貫通孔が設けられている。また、筐体４２の内側にはアンテナ回転軸４４を受ける軸受け部（図示せず）が設けられている。このカード型装置４０の構成では、アンテナ構造体４３は、アンテナ回転軸４４を回転軸として回動することができる。例えば、カード型装置４０が、パソコン等の情報端末機器に設けられているカード用スロット内に挿入されて使用される場合には、図１１の鎖線に示すようにアンテナ構造体４３を筐体４２の上面に対し起立させる方向に回動変位させる。これにより、電波の送受信の感度を高めることができる。また、カード型装置４０を情報端末機器のカード用スロットから抜き出して例えば携帯する場合には、アンテナ構造体４３を図１１の実線に示すような倒れている状態に回動変位させて収納し、カード型装置４０を携帯し易くすることができる。
【０００３】
【特許文献１】特開２００１−６９０２９号公報
【特許文献２】特開２００３−３１８７６７号公報
【特許文献３】特開２００１−２４３４３５号公報
【発明の開示】
【発明が解決しようとする課題】
【０００４】
図１１に示されるカード型装置４０の構成では、例えば、情報端末機器のカード用スロット内にカード型装置４０を挿入させて使用する際には、手動によりアンテナ構造体４３を起立させる方向に回動変位させ、また、例えば、カード型装置４０の使用が終了したときには、手動によりアンテナ構造体４３を倒す方向に回動変位させていた。このように、手動によりアンテナ構造体４３を回動変位させるので、面倒であった。
【０００５】
本発明は上記課題を解決するために成されたものであり、その目的は、アンテナ構造体の回動動作を自動化させて使い勝手を向上させたカード型装置を提供することにある。
【課題を解決するための手段】
【０００６】
上記目的を達成するために、この発明は次に示す構成をもって前記課題を解決するための手段としている。すなわち、この発明は、回路基板が扁平な筐体の内部に収容されて成る無線通信機能付きのカード型装置において、
筐体の外側の筐体上部に配置されて電波の無線通信を行うためのアンテナ構造体を有し、
該アンテナ構造体は前記カード型装置の挿入相手側への挿入方向に直交する横幅方向に伸長形成された形状を有して該伸長形成部の両端部にはそれぞれ前記伸長形成方向と略直交する方向に張り出した取り付け部が形成されてコ字形状を呈しており、
アンテナ構造体の両端部の取り付け部のうち一方の取り付け部側には、アンテナ構造体が筐体の上面に対して起立している状態と倒れている収納状態との間の動作範囲でアンテナ構造体を回動変位させる回動シャフトが設けられ、該回動シャフトと他方の取り付け部側に設けられたシャフトを介してアンテナ構造体が前記筐体に回動自在に設けられており、
カード型装置の筐体は該カード型装置の挿入相手側の挿入口に挿入した状態で該挿入相手側の挿入口から外側に突き出す長さを有して、前記挿入相手側の挿入口にカード型装置の筐体を挿入したときに前記アンテナ構造体が前記挿入相手側の挿入口から外側に突き出される筐体の位置に配置される構成と成し、前記アンテナ構造体の基部側となる前記回動シャフトの回動支点位置から前記アンテナ構造体の先端位置までの長さが前記挿入相手側の前記挿入口から突き出される筐体の前記挿入相手側の挿入口から前記アンテナ構造体の前記回動支点位置までの長さ以下に形成されており、
回動シャフトに回転トルクを加えてアンテナ構造体を回動変位させるアンテナ駆動用モーターと、
無線通信開始信号を受けてアンテナ駆動用モーターにアンテナ構造体起立用の電流を通電させてアンテナ構造体を起立方向に回動変位させるアンテナ起立用回路部と、
アンテナ構造体が予め定められた設定の起立方向の回動最終位置まで回動変位したことを検知するアンテナ起立検知部と、
アンテナ起立検知部からの情報によりアンテナ構造体が設定の起立方向の回動最終位置まで回動変位したことを検知した以降にアンテナ駆動用モーターへの電流通電を停止させる起立完了モーター通電停止部と、
無線通信終了信号を受けて前記アンテナ構造体起立用の電流とは逆向きの電流をアンテナ駆動用モーターに通電させてアンテナ構造体を倒して収納する方向に回動変位させるアンテナ収納用回路部と、
アンテナ収納用回路部によるアンテナ駆動用モーターへの通電中に予め定められた収納完了条件が満たされたことを検知したときには、アンテナ駆動用モーターへの電流通電を停止させる収納完了モーター通電停止部と、
が設けられていることを特徴としている。
【発明の効果】
【０００７】
この発明によれば、アンテナ構造体の回動シャフトに回転トルクを加えるアンテナ駆動用モーターを設け、また、無線通信開始信号を受けてアンテナ駆動用モーターに電流を通電してアンテナ構造体を筐体の上面に対し自動的に起立させるアンテナ起立用回路部と、無線通信終了信号を受けてアンテナ駆動用モーターに起立回動時とは逆向きの電流を通電してアンテナ構造体を自動的に収納方向に回動変位させるアンテナ収納用回路部とが設けられている構成とした。この構成を備えているために、この発明のカード型装置では、無線通信を開始する際に自動的にアンテナ構造体が起立し、また、無線通信を終了する際には自動的にアンテナ構造体が収納されることとなる。よって、無線通信を開始する際に、手動によりアンテナ構造体を起立させたり、無線通信を終了した際に、手動によりアンテナ構造体を倒して収納するという面倒が無くなり、カード型装置の使い勝手を向上させることができる。
【０００８】
また、この発明のカード型装置では、アンテナ構造体は自動的に回動変位するので、アンテナ構造体を手動により回動変位させる必要が無くなることから、アンテナ構造体を把持し易くしてアンテナ構造体を手動により回動変位させ易くするための構造が不要であり、そのような構造が設けられているものに比べて、カード型装置の構造の簡略化を図ることができる。
【０００９】
さらに、アンテナ構造体を手動により回動変位させる場合には、力加減の誤り等によりアンテナ構造体を破損させてしまう事態が起こることがある。これに対して、本発明のカード型装置では、アンテナ構造体を自動的に回動変位させてアンテナ構造体の手動操作を行わなくて済む。これにより、上記のような手動操作に起因したアンテナ構造体の破損発生率を低減させることができる。
【００１０】
さらに、この発明のカード型装置では、アンテナ構造体の起立方向の回動変位によりアンテナ構造体が設定の起立方向の回動最終位置まで回動変位したときには、アンテナ駆動用モーターへの電流供給を自動的に停止させる構成を備えている。このため、アンテナ構造体が起立するのに必要な短時間だけアンテナ駆動用モーターに通電させることができることとなる。これにより、省電力化を図ることができる。
【００１１】
さらに、アンテナ構造体の収納方向の回動変位によりアンテナ構造体が倒れて収納位置まで回動変位したときにはアンテナ駆動用モーターへの電流供給を自動的に停止させる構成を備えている。このため、アンテナ構造体を収納させるのに必要な短時間だけアンテナ駆動用モーターに通電させることができることとなる。これにより、アンテナ駆動用モーターの消費電力を抑制することができ、省電力化を図ることができる。
【００１２】
アンテナ起立用回路部の回路動作によりアンテナ構造体が予め定められた設定の起立方向の最終回動位置まで回動変位したときにアンテナ構造体の起立方向の回動変位を停止させるストッパーが設けられている構成を備えることにより、簡単な構成でもって、アンテナ構造体を設定の起立方向の最終回動位置で起立方向の回動変位を停止させて起立状態を維持させることができる。
【００１３】
アンテナ駆動用モーターからの回転トルクを増幅して回動シャフトに伝達する回転トルク増幅伝達部が設けられている構成を備えることにより、モーターの力不足の心配なく、駆動力の小さいモーターをアンテナ駆動用モーターとして配設することができる。換言すれば、駆動力の大きなモーターよりも駆動力の小さいモーターの方が小型化されていることから、小型なモーターをアンテナ駆動用モーターとして設けることが可能になる。これにより、カード型装置の小型化に対応することが容易となるし、また、カード型装置の内部において部品を配置することができるスペースの拡大を図ることができる。
【発明を実施するための最良の形態】
【００１４】
以下に、この発明に係る実施形態例を図面に基づいて説明する。
【００１５】
図１（ａ）には第１実施形態例のカード型装置が簡略化した模式図により示され、図１（ｂ）には図１（ａ）のカード型装置を上方側から見た模式的な平面図が示され、図２には第１実施形態例のカード型装置の模式的な分解図が示されている。このカード型装置１は無線通信機能を備えており、当該カード型装置１は、回路基板２と、回路基板２を収容する扁平な筐体３と、筐体３の外側に配置され電波の無線通信を行うためのアンテナ構造体４とを有して構成されている。このカード型装置１は、例えばパソコン等の情報端末機器に設けられているカード用スロット内に挿入され、情報端末機器と電気的に接続して信号の遣り取りが可能なものである。つまり、カード型装置１には、情報端末機器のカード用スロット内に挿入されたときに情報端末機器と電気的に接続するための外部接続手段（図示せず）が設けられている。その外部接続手段には、例えば、コネクタ等の様々な構成があり、例えば仕様等に応じた適宜な構成の外部接続手段がカード型装置１に設けられる。カード型装置１は、例えば、情報端末機器から外部接続手段を介して受け取った無線送信用の信号をアンテナ構造体４から無線通信相手に向けて送信する機能や、アンテナ構造体４で受信した信号を外部接続手段を介して情報端末機器に出力する機能等を備えている。
【００１６】
この第１実施形態例では、筐体３は、回路基板２の表面側を覆う表側カバー部５と、回路基板２の裏面側を覆う裏側カバー部６とを有して構成されている。表側カバー部５には、カード型装置１を情報端末機器のカード用スロット内に挿入する場合に挿入後端側となる片端側の端縁部に、表側カバー部５の上面よりも上側に突出した突出壁５Ａが形成されている。
【００１７】
アンテナ構造体４は、電波の無線通信（送信や受信）を行うアンテナ本体（図示せず）と、アンテナ本体を保護するアンテナカバー７とを有して構成されている。なお、アンテナ本体は予め定められた周波数帯の電波の無線通信を行うことが可能な構成を備えている。そのような電波の無線通信を行うためのアンテナ構成には様々な構成があり、ここでは、アンテナ本体はそれら構成の中の何れの構成を備えてもよく、その説明は省略する。
【００１８】
この第１実施形態例では、アンテナ構造体４は、カード型装置１の挿入方向に直交する横幅方向に伸長形成された形状を有し、このアンテナ構造体４の両端部には、伸長形成方向に略直交する方向に張り出した取り付け部４ａ，４ｂがそれぞれ形成されている。その取り付け部４ａの図１や図２に示される左側端面から取り付け部４ｂの右側端面までの横幅方向の長さ寸法は、表側カバー部５の突出壁５Ａの左側壁部分から右側壁部分までの長さ寸法よりも短くなっている。取り付け部４ａの左側端面には左側に突出した突起部８ａ（例えば図１（ｂ）参照）が、また、取り付け部４ｂの右側端面には右側に突出した突起部８ｂが、それぞれ形成されている。また、表側カバー部５の突出壁５Ａの左側壁部分には、取り付け部４ａの突起部８ａに嵌合する凹部又は孔部９ａが形成されている。また、突出壁５Ａの右側壁部分には、取り付け部４ｂの突起部８ｂに嵌合する凹部又は孔部９ｂが形成されている。
【００１９】
アンテナ構造体４の各取り付け部４ａ，４ｂの突起部８ａ，８ｂがそれぞれ対応する突出壁５Ａの凹部又は孔部９ａ，９ｂに嵌合することにより、アンテナ構造体４は次に示すように回動変位自在な状態で表側カバー部５に取り付けられる。つまり、この第１実施形態例では、アンテナ構造体４は、図３（ａ）の斜視図や、図３（ｃ）の断面図（図３（ｂ）のＡ−Ａ部分に対応）の点線に示されるように筐体３の上面に伏して倒れている収納状態と、図３（ｂ）の斜視図や、図３（ｃ）の断面図の実線に示されるように筐体３の上面に対し起立している状態との間の動作範囲で回動変位することができる。この第１実施形態例では、アンテナ構造体４が倒れている収納状態から起立方向の回動最終位置まで回動変位する際の回動の角度範囲θは約１２０°と成っている。アンテナ構造体４が図３（ｃ）の実線に示されるような予め定めた起立方向の回動最終位置まで回動変位したときに、アンテナ構造体４が表側カバー部５の突出壁５Ａに係止してアンテナ構造体４の回動変位が停止する構成となっている。すなわち、突出壁５Ａは、アンテナ構造体４が予め定められた起立方向の回動最終位置まで回動変位したときにアンテナ構造体４の起立回動変位を停止させるストッパーと成っている。
【００２０】
アンテナ構造体４の取り付け部４ａの右側端面には右向きの横幅方向に伸長形成されたシャフト１１が、また、取り付け部４ｂの左側端面には左向きの横幅方向に伸長形成された回動シャフト１２が、それぞれ、形成されている。表側カバー部５には、シャフト１１の軸受け部（図示せず）や、回動シャフト１２の軸受け部（図示せず）が設けられている。また、この第１実施形態例では、表側カバー部５には、取り付け部４ａ，４ｂ間となる領域に、シャフト１１及び回動シャフト１２を保護する保護カバー１４が取り付けられる。
【００２１】
この第１実施形態例では、シャフト１１は、アンテナ構造体４のアンテナ本体に電気的に接続されている。筐体３内に収容される回路基板２には無線通信用の高周波回路１５が設けられている。この無線通信用の高周波回路１５は、例えば、情報端末機器から供給される無線送信用の信号を無線通信に適した信号に変換（変調）したり、無線により受信した信号を情報端末機器に供給するのに適した信号に変換（復調）する回路構成を有している。また、回路基板２には、シャフト１１をその無線通信用の高周波回路１５に電気的に接続させるための給電手段１６が設けられている。これにより、無線通信用の高周波回路１５から出力された無線送信用の信号は給電手段１６とシャフト１１を介してアンテナ構造体４のアンテナ本体に伝達されアンテナ本体により無線送信される。また、アンテナ本体により受信された信号は、シャフト１１と給電手段１６を介して無線通信用の高周波回路１５に伝達されて情報端末機器に供給するのに適した信号に変換され当該変換後の信号が情報端末機器に向けて出力される。なお、給電手段１６の構成には様々な構成があり、ここでは、シャフト１１と無線通信用の高周波回路１５とを電気的に接続させることができれば、その構成は特に限定されるものではなく、適宜な構成の給電手段１６が設けられる。
【００２２】
この第１実施形態例では、回路基板２には、アンテナ駆動用モーター１７が配設されている。このアンテナ駆動用モーター１７の回転軸１７ａは、軸継ぎ手装置（カップリング（図示せず））を介してアンテナ構造体４の回動シャフト１２に連結されている。このため、アンテナ駆動用モーター１７の回転駆動による回転トルクが軸継ぎ手装置を介してアンテナ構造体４の回動シャフト１２に伝達される。これにより、回動シャフト１２が回動してアンテナ構造体４が回動変位する。
【００２３】
回路基板２には、アンテナ駆動用モーター１７の回転駆動を制御するためのモーター制御回路部２０が設けられている。このモーター制御回路部２０は、図４のブロック構成図に示されるように、アンテナ起立用回路部２１と、アンテナ収納用回路部２２と、起立完了モーター通電停止部２３と、収納完了モーター通電停止部２４と、アンテナ起立検知部２５とを有して構成されている。アンテナ起立用回路部２１は、カード型装置１がパソコン等の情報端末機器のカード用スロット内に挿入されている状態で情報端末機器から外部接続手段を介して無線通信開始信号を受け取ったことを検知したときに、電源入力部Ｖccを介して供給される電源電力を利用して、アンテナ駆動用モーター１７にアンテナ構造体起立用の電流を通電させる回路構成を有する。このアンテナ起立用回路部２１の回動動作によるアンテナ駆動用モーター１７の駆動により、アンテナ構造体４は、筐体３の上面に伏して倒れている収納位置から筐体３の上面に対して起立する方向に回動変位する。
【００２４】
アンテナ起立検知部２５は、アンテナ構造体４が予め定められた起立方向の回動最終位置（この第１実施形態例では、アンテナ構造体４が回動変位によりストッパーである突出壁５Ａに係止する位置）まで回動変位したことを検知して起立完了信号を出力する構成を備えている。起立完了モーター通電停止部２３は、アンテナ起立検知部２５から出力された起立完了信号を受けてモーター通電停止信号をアンテナ起立用回路部２１に向けて出力する。アンテナ起立用回路部２１は、そのモーター通電停止信号を受けたときに、アンテナ駆動用モーター１７への電流通電を停止する構成を有する。
【００２５】
アンテナ収納用回路部２２は、カード型装置１が情報端末機器から外部接続手段を介して無線通信終了信号を受け取ったことを検知したときに、電源入力部Ｖccを介して供給される電源電力を利用して、前記アンテナ構造体起立用の電流とは逆向きの電流をアンテナ駆動用モーター１７に通電させる回路構成を有する。このアンテナ収納用回路部２２の回路動作によるアンテナ駆動用モーター１７の駆動により、アンテナ構造体４は、起立している状態から筐体３の上面に伏して倒れている収納状態に向けて回動変位する。
【００２６】
収納完了モーター通電停止部２４は、予め定められた収納完了条件が満たされたことを検知したときにモーター通電停止信号をアンテナ収納用回路部２２に向けて出力する。アンテナ収納用回路部２２は、そのモーター通電停止信号を受けて、アンテナ駆動用モーター１７への電流通電を停止する構成を有する。
【００２７】
図５にはモーター制御回路部２０の一具体例が示されている。図５に示されるモーター制御回路部２０では、アンテナ起立検知部２５として位置検出スイッチ２６が設けられている。位置検出スイッチ２６は、アンテナ構造体４が設定の起立方向の回動最終位置にあるときにはスイッチオン動作し、それ以外の位置にアンテナ構造体４があるときにはスイッチオフ動作するものである。この位置検出スイッチ２６の一端側は予め定められたハイレベル（Ｈ）の電圧レベルを持つＨ信号の入力部Ｖsに接続されている。また、位置検出スイッチ２６の他端側はＡＮＤ回路２７の入力部の一つである入力部２７ａに接続されている。そのＡＮＤ回路２７の入力部２７ａと位置検出スイッチ２６との接続部は抵抗部Ｒ１を介してグランドに接地されている。ＡＮＤ回路２７の別の入力部２７ｂは、カード型装置１が装着される例えばパソコン等の情報端末機器からの信号が加えられる第１外部信号入力部Ｐ１に接続されている。
【００２８】
ＡＮＤ回路２７の出力部は抵抗部Ｒ２を介してＰＮＰ型トランジスタ素子Ｔr0のベースに接続されている。ＰＮＰ型トランジスタ素子Ｔr0のエミッタは電源入力部Ｖccに接続され、ＰＮＰ型トランジスタ素子Ｔr0のコレクタはＮＰＮ型トランジスタ素子Ｔr1のコレクタに接続されると共に、ＮＰＮ型トランジスタ素子Ｔr3のコレクタに接続されている。ＮＰＮ型トランジスタ素子Ｔr1のエミッタはアンテナ駆動用モーター１７を介してＰＮＰ型トランジスタ素子Ｔr4のエミッタに接続されている。また、ＮＰＮ型トランジスタ素子Ｔr3のエミッタはアンテナ駆動用モーター１７を通してＰＮＰ型トランジスタ素子Ｔr2のエミッタに接続されている。ＮＰＮ型トランジスタ素子Ｔr1のベースと、ＰＮＰ型トランジスタ素子Ｔr2のベースとは、共通に抵抗部Ｒ３の一端側に接続され、抵抗部Ｒ３の他端側は第１外部信号入力部Ｐ１に接続されている。また、抵抗部Ｒ３と第１外部信号入力部P1との接続部はＮＯＴ回路２８の入力部に接続されている。ＮＰＮ型トランジスタ素子Ｔr3のベースと、ＰＮＰ型トランジスタ素子Ｔr4のベースとは、共通に抵抗部Ｒ５の一端側に接続され、抵抗部Ｒ５の他端側はＮＯＴ回路２８の出力部に接続されている。また、ＰＮＰ型トランジスタ素子Ｔr2のコレクタと、ＰＮＰ型トランジスタ素子Ｔr4のコレクタとは、共通にＮＰＮ型トランジスタ素子Ｔr5のコレクタに接続され、ＮＰＮ型トランジスタ素子Ｔr5のエミッタはグランドに接地されている。また、ＮＰＮ型トランジスタ素子Ｔr5のベースは抵抗部Ｒ４を介して第２外部信号入力部Ｐ２に接続されている。第２外部信号入力部Ｐ２は、カード型装置１が装着される例えばパソコン等の情報端末機器からの信号が加えられる信号入力部であり、第１外部信号入力部Ｐ１とは異なるものである。
【００２９】
図５に示されるモーター制御回路部２０は上記のように構成されている。このモーター制御回路部２０は次に示すように回路動作を行う。例えば、カード型装置１が例えばパソコン等の情報端末機器に装着されておらず、アンテナ構造体４が筐体３の上面に倒れて収納状態にあるときには、アンテナ起立検知部２５を構成する位置検出スイッチ２６はスイッチオフ状態である。これにより、ＡＮＤ回路２７の入力部２７ａの電圧レベルはローレベル（Ｌ）となる。また、カード型装置１は情報端末機器と信号接続されていないので、第１外部信号入力部Ｐ１および第２外部信号入力部Ｐ２には情報端末機器からの信号は加えられず、第１と第２の各外部信号入力部Ｐ１，Ｐ２の電圧レベルはローレベル（Ｌ）となる。このような状態のときには、ＡＮＤ回路２７の各入力部２７ａ，２７ｂの電圧レベルは両方共にＬであることから、ＡＮＤ回路２７からはＬレベルの電圧レベルを持つ信号が出力される。このためＰＮＰ型トランジスタ素子Ｔr0はオン状態となる。また、第２外部信号入力部Ｐ２の電圧レベルに基づいたＮＰＮ型トランジスタ素子Ｔr5のベースの電圧レベルはＬであることから、ＮＰＮ型トランジスタ素子Ｔr5はオフ状態である。上記のようなトランジスタ素子Ｔr0，Ｔr5のオン・オフ動作状態によって、電源入力部Ｖcc側からＰＮＰ型トランジスタ素子Ｔr0とアンテナ駆動用モーター１７とＮＰＮ型トランジスタ素子Ｔr5を順に介す経路の電流の通電は無い。
【００３０】
カード型装置１が情報端末機器のカード用スロット内に挿入されてカード型装置１が情報端末機器と電気的に接続されている状態のときに、情報端末機器がカード型装置１を利用して無線通信を開始する際には、情報端末機器からカード型装置１に向けて無線通信開始信号が出力される。カード型装置１のモーター制御回路部２０では、その無線通信開始信号に基づいて第１と第２の各外部信号入力部Ｐ１，Ｐ２の電圧レベルがハイレベル（Ｈ）となる。これにより、図６（ａ）に示されるように、ＮＰＮ型トランジスタ素子Ｔr5のベースの電圧レベルがＨとなってＮＰＮ型トランジスタ素子Ｔr5はオン状態となる。また、ＡＮＤ回路２７の入力部２７ｂの電圧レベルがＨであり、位置検出スイッチ２６のオフによりＡＮＤ回路２７の入力部２７ａの電圧レベルがＬであるため、ＡＮＤ回路２７の出力部の電圧レベルはＬであり、これにより、ＰＮＰ型トランジスタ素子Ｔr0はオン状態となる。さらに、第１外部信号入力部Ｐ１の電圧レベル（Ｈ）に基づいてトランジスタ素子Ｔr1，Ｔr2のベースの電圧レベルは両方共にＨとなる。このため、ＮＰＮ型トランジスタ素子Ｔr1はオン状態となり、ＰＮＰ型トランジスタ素子Ｔr2はオフ状態となる。また、第１外部信号入力部Ｐ１の電圧レベル（Ｈ）に基づいたＮＯＴ回路２８の入力部の電圧レベルはＨであることから、ＮＯＴ回路２８の出力部の電圧レベルはＬとなり、これにより、トランジスタ素子Ｔr3，Ｔr4のベースの電圧レベルは両方共にＬとなる。このため、ＮＰＮ型トランジスタ素子Ｔr3はオフ状態となり、ＰＮＰ型トランジスタ素子Ｔr4はオン状態となる。
【００３１】
よって、モーター制御回路部２０には、図６（ａ）の電流経路Ｉに示されるように、電源入力部Ｖccに供給される電源電圧に基づいて、ＰＮＰ型トランジスタ素子Ｔr0と、ＮＰＮ型トランジスタ素子Ｔr1と、アンテナ駆動用モーター１７と、ＰＮＰ型トランジスタ素子Ｔr4と、ＮＰＮ型トランジスタ素子Ｔr5とを順に通る経路でもって電流が通電する。このようなアンテナ駆動用モーター１７への電流通電によって、アンテナ駆動用モーター１７が駆動して回動シャフト１２にアンテナ構造体起立用の回転トルクを加える。これにより、アンテナ構造体４が起立方向に回動変位し始める。
【００３２】
すなわち、図５に示すモーター制御回路部２０においては、電源入力部Ｖcc側からＰＮＰ型トランジスタ素子Ｔr0とＮＰＮ型トランジスタ素子Ｔr1とアンテナ駆動用モーター１７とＰＮＰ型トランジスタ素子Ｔr4とＮＰＮ型トランジスタ素子Ｔr5とを順に介して電流を通電させる回路部によって、アンテナ駆動用モーター１７にアンテナ構造体起立用の電流を通電させてアンテナ構造体４を起立方向に回動変位させるアンテナ起立用回路部（２１）が構成されている。
【００３３】
このアンテナ起立用回路部の回路動作によって、アンテナ構造体４が設定の起立方向の最終回動位置（つまり、アンテナ構造体４が突出壁５Ａに係止する位置）まで回動変位すると、位置検出スイッチ２６がオン状態となる。これにより、モーター制御回路部２０においては、図６（ｂ）に示されるように、Ｈ信号入力部Ｖsから位置検出スイッチ２６を通してＡＮＤ回路２７の入力部２７ａにＨ信号が加えられる。このため、ＡＮＤ回路２７の入力部２７ａ，２７ｂの電圧レベルが両方共にＨとなり、ＡＮＤ回路２７の出力部の電圧レベルがＨとなる。これにより、ＰＮＰ型トランジスタ素子Ｔr0のベースの電圧レベルがＨとなってＰＮＰ型トランジスタ素子Ｔr0はオフ状態となる。よって、電源入力部Ｖccからアンテナ駆動用モーター１７側への電流通電が停止する。
【００３４】
すなわち、図５に示すモーター制御回路部２０においては、ＡＮＤ回路２７によって、起立完了モーター通電停止部（２３）が構成されている。つまり、アンテナ起立検知部である位置検出スイッチ２６は、スイッチオン動作によってＨ信号入力部Ｖs側からのＨ信号を起立完了信号としてＡＮＤ回路２７に向けて出力し、ＡＮＤ回路２７（起立完了モーター通電停止部）は、その起立完了信号（Ｈ信号）を受けて、モーター通電停止信号としてＨ信号をアンテナ起立用回路部２１のＰＮＰ型トランジスタ素子Ｔr0のベースに向けて出力する。ＰＮＰ型トランジスタ素子Ｔr0のベースにＨ信号が加えられることにより、上述したように、ＰＮＰ型トランジスタ素子Ｔr0がオフして、アンテナ起立用回路部２１によるアンテナ駆動用モーター１７の電流通電が停止する。
【００３５】
カード型装置１により無線通信を行っている情報端末機器が無線通信を終了するときには情報端末機器から無線通信終了信号が加えられる。モーター制御回路部２０においては、その無線通信終了信号を受けて、第１外部信号入力部Ｐ１の電圧レベルがＬとなり、第２外部信号入力部Ｐ２の電圧レベルがＨとなる構成になっている。これにより、図７（ａ）に示されるように、ＮＰＮ型トランジスタ素子Ｔr5のベースの電圧レベルがＨとなってＮＰＮ型トランジスタ素子Ｔr5はオン状態となる。また、第１外部信号入力部Ｐ１の電圧レベルＬに基づいてＡＮＤ回路２７の入力部２７ｂの電圧レベルがＬとなるために、ＡＮＤ回路２７の出力部の電圧レベルがＬとなり、これにより、ＰＮＰ型トランジスタ素子Ｔr0がオン状態となる。また、第１外部信号入力部Ｐ１の電圧レベルＬに基づいてＮＰＮ型トランジスタ素子Ｔr1がオフ状態となり、ＰＮＰ型トランジスタ素子Ｔr2がオン状態となる。さらに、第１外部信号入力部Ｐ１の電圧レベルＬに基づいたＮＯＴ回路２８の出力部の電圧レベルＨによって、ＮＰＮ型トランジスタ素子Ｔr3がオン状態となり、ＰＮＰ型トランジスタ素子Ｔr4がオフ状態となる。
【００３６】
よって、モーター制御回路部２０には、図７（ａ）の電流経路Ｉに示されるように、電源入力部Ｖccに供給される電源電圧に基づいて、ＰＮＰ型トランジスタ素子Ｔr0と、ＮＰＮ型トランジスタ素子Ｔr3と、アンテナ駆動用モーター１７と、ＰＮＰ型トランジスタ素子Ｔr2と、ＮＰＮ型トランジスタ素子Ｔr5とを順に通る経路でもって電流が通電する。つまり、アンテナ構造体４を起立方向に回動変位させるときの電流とは逆向きの電流がアンテナ駆動用モーター１７に通電する。このようなアンテナ駆動用モーター１７への電流通電によって、アンテナ駆動用モーター１７が駆動して回動シャフト１２にアンテナ構造体収納用の回転トルクを加える。これにより、アンテナ構造体４は収納方向に回動変位し始める。
【００３７】
すなわち、図５に示すモーター制御回路部２０においては、電源入力部Ｖcc側からＰＮＰ型トランジスタ素子Ｔr0とＮＰＮ型トランジスタ素子Ｔr3とアンテナ駆動用モーター１７とＰＮＰ型トランジスタ素子Ｔr2とＮＰＮ型トランジスタ素子Ｔr5とを順に介して電流を通電させる回路部によって、アンテナ駆動用モーター１７にアンテナ構造体起立用の電流とは逆向きの電流を通電させてアンテナ構造体４を倒して収納する方向に回動変位させるアンテナ収納用回路部（２２）が構成されている。
【００３８】
なお、アンテナ構造体４の収納方向への回動変位の開始により、位置検出スイッチ２６がオフ状態となり、ＡＮＤ回路２７の入力部２７ａの電圧レベルがＨからＬに切り換わる。このように入力部２７ａの電圧レベルが切り換わっても、ＡＮＤ回路２７の出力部の電圧レベルはＬのまま変動しないので、アンテナ収納用回路部によるアンテナ駆動用モーター１７への電流通電は継続される。
【００３９】
情報端末機器の無線通信動作が全て終了すると、第１外部信号入力部Ｐ１だけでなく第２外部信号入力部Ｐ２の電圧レベルもＬレベルとなる構成と成している。これにより、ＮＰＮ型トランジスタ素子Ｔr5がオフ状態となり、アンテナ収納用回路部によるアンテナ駆動用モーター１７への電流通電が停止する。
【００４０】
すなわち、図５に示すモーター制御回路部２０においては、第２外部信号入力部Ｐ２の電圧レベルがＬとなったときが収納完了条件となっている。また、第２外部信号入力部Ｐ２は収納完了モーター通電停止部（２４）を構成している。つまり、第２外部信号入力部Ｐ２は予め定められた収納完了条件が満たされたときにＬ信号をモーター通電停止信号としてＮＰＮ型トランジスタ素子Ｔr5のベースに加えて、当該ＮＰＮ型トランジスタ素子Ｔr5をオフさせ、これにより、アンテナ収納用回路部によるアンテナ駆動用モーター１７への電流通電を停止させる。
【００４１】
この第１実施形態例のカード型装置１は上記のような構成を備えている。これにより、無線通信を開始する際にはアンテナ構造体４を自動的に起立させ、また、無線通信を終了する際にはアンテナ構造体４を自動的に倒して収納することができて、使い勝手を向上させることができる。
【００４２】
以下に、第２実施形態例を説明する。なお、この第２実施形態例の説明では、第１実施形態例と同一構成部分には同一符号を付し、その共通部分の重複説明は省略する。
【００４３】
この第２実施形態例では、アンテナ駆動用モーター１７からの回転トルクを増幅して回動シャフト１２に伝達する次に示すような回転トルク増幅伝達部が設けられている。この構成以外の第２実施形態例の構成は第１実施形態例と同様である。
【００４４】
図８には回転トルク増幅伝達部の一具体例が模式的に表されている。この図８に示される回転トルク増幅伝達部３０は、互いに噛み合う歯車３１，３２を有して構成されている。歯車３１は、アンテナ駆動用モーター１７の回転軸１７ａに装着され回転軸１７ａの回動に伴って回動する構成となっている。歯車３２は回動シャフト１２に一体的に装着されており、アンテナ駆動用モーター１７の駆動による歯車３１の回動によって回動してアンテナ駆動用モーター１７側からの回転トルクを回動シャフト１２に伝達する。この例では、歯車３２の歯数は歯車３１の歯数よりも多くなっており、歯車３１，３２は減速ギア構造を構成している。これにより、アンテナ駆動用モーター１７からの回転トルクを増幅して回動シャフト１２に伝達することができる。
【００４５】
図９（ａ）には回転トルク増幅伝達部３０の別の具体例が示されている。この図９（ａ）に示される例では、回転トルク増幅伝達部３０は、互いに押圧接触し合っているゴムプーリー３３，３４を有して構成されている。ゴムプーリー３３は、アンテナ駆動用モーター１７の回転軸１７ａの周面に固定されている。ゴムプーリー３４は回動シャフト１２の周面に固定されている。当該ゴムプーリー３４の外周面はゴムプーリー３３の外周面に互いに押圧しながら接触し、ゴムプーリー３４はアンテナ駆動用モーター１７の駆動による回転軸１７ａ（ゴムプーリー３３）の回動により回動してアンテナ駆動用モーター１７側からの回転トルクを回動シャフト１２に伝達する。この例では、ゴムプーリー３３の外周面の半径よりもゴムプーリー３４の外周面の半径が大きくなっているために、ゴムプーリー３３，３４は、アンテナ駆動用モーター１７からの回転トルクを増幅して回動シャフト１２に伝達することができる。
【００４６】
また、図９（ｂ）には回転トルク増幅伝達部３０のさらに別の具体例が示されている。この図９（ｂ）に示される例では、回転トルク増幅伝達部３０は、アンテナ駆動用モーター１７の回転軸１７ａの周面に固定されているゴムプーリー３３と、回動シャフト１２の外周面に固定されているゴムプーリー３４と、それらゴムプーリー３３，３４を連結しているベルト（エンドレスベルト）３５とを有して構成されている。ベルト３５は、アンテナ駆動用モーター１７の駆動によるゴムプーリー３３の回動に伴って動いてゴムプーリー３４を連動させて回動させ、これにより、回動シャフト１２を回動させるものである。この例では、図９（ａ）の例と同様に、ゴムプーリー３３の外周面の半径よりもゴムプーリー３４の外周面の半径が大きくなっているために、ゴムプーリー３３，３４とベルト３５は、アンテナ駆動用モーター１７からの回転トルクを増幅して回動シャフト１２に伝達することができる。
【００４７】
この第２実施形態例では、回転トルク増幅伝達部３０を設けたので、次に示すような効果を得ることができる。例えば、ＰＣカード等のように規格によって大きさが制限されているカード型装置１においては、アンテナ駆動用モーター１７は小型なものでなければ設置できないが、小型なモーターは駆動力が小さいために、そのままでは、アンテナ構造体４を回動変位させるための十分な回転トルクをアンテナ駆動用モーター１７から回動シャフト１２に加えることができない事態が発生する虞がある。これに対して、この第２実施形態例では、回転トルク増幅伝達部３０を設け、当該回転トルク増幅伝達部３０によってアンテナ駆動用モーター１７の回転トルクを増幅して回動シャフト１２に加えることができるので、小型なモーターをアンテナ駆動用モーター１７として設けても、モーターの力不足の心配なく、アンテナ構造体４を満足に回動変位させることが可能となる。
【００４８】
なお、この発明は第１や第２の各実施形態例の形態に限定されるものではなく、様々な実施の形態を採り得る。例えば、第１や第２の各実施形態例では、アンテナ起立検知部として位置検出スイッチ２６を設ける例を示したが、例えば、位置検出スイッチ２６に代えて、次に示すような構成のアンテナ起立検知部を設けてもよい。つまり、アンテナ構造体４が設定の起立方向の最終回動位置まで回動変位したときにアンテナ構造体４は突出壁５Ａに係止して回動変位を続けることができなくなる。このため、アンテナ駆動用モーター１７の負荷が増加してアンテナ駆動用モーター１７の消費電力が変化し、これにより、アンテナ起立用回路部に通電している電流量が増加する。この電流量増加を利用したアンテナ起立検知部を設けてもよい。例えば、そのアンテナ起立検知部は、アンテナ起立用回路部の通電電流量を検出し当該通電電流量が予め実験等により求めたアンテナ起立完了検知用のしきい値以上に増加したことを検知したときにアンテナ構造体が設定の起立方向の回動最終位置まで回動変位したことを検知する構成を有する。
【００４９】
また、アンテナ構造体４の収納方向の回動変位によりアンテナ構造体４が筐体３の上面に倒れて収納状態となったときにも、アンテナ構造体４は筐体３の上面に係止して回動変位を続けることができなくなり、これにより、アンテナ駆動用モーター１７の負荷が増加してアンテナ駆動用モーター１７の消費電力が変化する。このため、アンテナ収納用回路部に通電している電流量が増加する。このことから、例えば、アンテナ収納用回路部に通電している電流量を検出し、当該検出した電流量が予め実験等により求めたアンテナ収納完了検知用のしきい値以上に増加したことを検知したときに収納完了条件が満たされたと判断してアンテナ駆動用モーター１７への電流通電を停止する構成としてもよい。
【００５０】
さらに、第１や第２の各実施形態例では、アンテナ構造体４は、筐体３の上面に伏して倒れている状態が収納状態であったが、例えば、図１０の模式的な断面図の点線に示されるような仰向けに倒れている状態を収納状態としてもよい。この図１０に示す例において、アンテナ構造体４の起立方向の回動最終位置が図１０の実線に示される位置である場合には、アンテナ駆動用モーター１７へのアンテナ構造体起立用の電流の通電を停止することにより、アンテナ構造体４が自重により収納状態に回動変位してしまうことが考えられるので、このような場合には、アンテナ駆動用モーター１７への電流通電を停止した後にもアンテナ構造体４を設定の起立位置に維持させるための手段を講じることが好ましい。
【００５２】
さらに、第１や第２の各実施形態例では、アンテナ構造体４が設定の起立方向の回動最終位置まで回動変位したときにアンテナ構造体４の起立方向の回動変位を停止させるストッパーが設けられていたが、例えば、アンテナ構造体４を起立方向の回動変位を停止させる他の手段が設けられる場合には、上記ストッパーを設けなくともよい。
【図面の簡単な説明】
【００５３】
【図１】第１実施形態例のカード型装置を説明するためのモデル図である。
【図２】図１に示されるカード型装置の分解図である。
【図３】図１に示されるカード型装置のアンテナ構造体の回動変位例を説明するための図である。
【図４】第１実施形態例のカード型装置に設けられるアンテナ駆動用モーターの駆動制御を行うための回路構成例を説明するためのブロック構成図である。
【図５】アンテナ駆動用モーターの駆動制御を行うための回路構成の具体例を表した回路図である。
【図６】図５の回路の回路動作例を説明するための図である。
【図７】図６と共に、図５の回路の回路動作例を説明するための図である。
【図８】第２実施形態例のカード型装置を構成する回転トルク増幅伝達部の一具体例を説明するためのモデル図である。
【図９】回転トルク増幅伝達部の別の具体例を説明するためのモデル図である。
【図１０】その他の実施形態例を説明するための図である。
【図１１】カード型装置の一形態例を説明するためのモデル図である。
【符号の説明】
【００５４】
１  カード型装置
２  回路基板
３  筐体
４  アンテナ構造体
１２  回動シャフト
２１  アンテナ起立用回路部
２２  アンテナ収納用回路部
２３  起立完了モーター通電停止部
２４  収納完了モーター通電停止部
２５  アンテナ起立用回路部
３０  回転トルク増幅伝達部
【図１】
0005128768.tif 000002
【図２】
0005128768.tif 000003
【図３】
0005128768.tif 000004
【図４】
0005128768.tif 000005
【図５】
0005128768.tif 000006
【図６】
0005128768.tif 000007
【図７】
0005128768.tif 000008
【図８】
0005128768.tif 000009
【図９】
0005128768.tif 000010
【図１０】
0005128768.tif 000011
【図１１】
0005128768.tif 000012